(57)【要約】【課題】ロータリアクチュエータを用いた垂直磁気記録方式の磁気ヘッドにおいて、サイドイレーズを防止しながら、高密度記録を可能とした磁気ヘッド、及び高容量化を可能とする磁気ディスク装置を提供する。【解決手段】記録或いは再生の際に、磁気媒体上のいずれの位置にあっても、磁極の磁気媒体に対向する面が、情報トラック幅の範囲内に位置する形状であることを特徴とする磁気ヘッド、或いは上部磁極の磁気媒体に対向する面が磁気媒体に形成される情報トラック幅以下の直径を有する円形であることを特徴とする磁気ヘッドと、このいずれかの磁気ヘッドを搭載した。【選択図】　図６
2004046920.tif 000002
【特許請求の範囲】
【請求項１】
磁気媒体から情報を再生する再生ヘッドと、
前記再生ヘッドに対してギャップ層を挟んで対向する磁極を備え、前記磁気媒体に情報を記録する記録ヘッドとを備えた磁気ヘッドにおいて、
前記記録或いは再生の際に、前記磁極が前記磁気媒体上のいずれの位置にあっても、前記磁極の前記磁気媒体に対向する面が、前記情報トラック幅の範囲内に位置する形状であることを特徴とする磁気ヘッド。
【請求項２】
磁気媒体から情報を再生する再生ヘッドと、
前記再生ヘッドに対してギャップ層を挟んで対向する磁極を備え、前記磁気媒体に情報を記録する記録ヘッドとを備えた磁気ヘッドにおいて、
アクチュエータアームの回動で変化するヨー角に関わらず、前記磁極の前記磁気媒体に対向する面が、前記情報トラック幅の範囲内に位置する形状であることを特徴とする磁気ヘッド。
【請求項３】
磁気媒体から情報を再生する再生ヘッドと、
前記再生ヘッドに対してギャップ層を挟んで対向する磁極を備え、前記磁気媒体に情報を記録する記録ヘッドとを備えた磁気ヘッドにおいて、
前記磁極の前記磁気媒体に対向する面が前記磁気媒体に形成される情報トラック幅以下の直径を有する略円形であることを特徴とした磁気ヘッド。
【請求項４】
磁気媒体から情報を再生する再生ヘッドと、
前記再生ヘッドに対してギャップ層を挟んで対向する磁極を備え、前記磁気媒体に情報を記録する記録ヘッドとを備えた磁気ヘッドにおいて、
前記磁極の前記磁気媒体に対向する面に形成されるトレーリングエッジは、前記磁気媒体に形成される情報トラック幅以下の直径を有する略円形の円弧であることを特徴とした磁気ヘッド。
【請求項５】
非磁性基板上に積層された第一の磁極と、前記磁極にギャップ層を介して位置する第二の磁極とを備えた、前記磁気媒体からの情報を記録する記録ヘッドと、前記第二の磁極上に積層された第一の磁気シールドと、この第一の磁気シールドとの間に挟まれた、前記磁気媒体から情報を再生する再生ヘッドとを備えた磁気ヘッドにおいて、
前記第二の磁極の前記磁気媒体に対向する面の形状が前記磁気媒体に形成される情報トラック幅以下の直径を有する略円形であり、前記再生ヘッドの感磁部の前記磁気媒体に対向する面は、前記略円に沿った円弧を有することを特徴とする磁気ヘッド。
【請求項６】
非磁性基板上に積層された第一の磁極と、この磁極にギャップ層を介して位置する第二の磁極とを備えた、磁気媒体からの情報を記録する記録ヘッドと、前記第二の磁極上に積層された第一の磁気シールドと、この第一の磁気シールドとの間に挟まれた、前記磁気媒体から情報を再生する再生ヘッドとを備えた磁気ヘッドにおいて、
前記第一の磁極の前記磁気媒体に対向する面に形成されるトレーリングエッジは、前記磁気媒体に形成される情報トラック幅以下の直径を有する略円形の円弧であり、前記再生ヘッドの感磁部の前記磁気媒体に対向する面は、前記円弧に沿った円弧を有することを特徴とする磁気ヘッド。
【請求項７】
前記再生ヘッドの感磁部の円弧の内周角が１８０°以下であることを特徴とする請求項５或いは６に記載の磁気ヘッド。
【請求項８】
情報を記録する磁気媒体と、
前記磁気媒体を回転駆動させるモータと、
前記磁気媒体から情報を再生する再生ヘッドと、
この再生ヘッドに対してギャップ層を挟んで対向する磁極を備え、前記磁気媒体に情報を記録する記録ヘッドとを備えた磁気ヘッドと、
この磁気ヘッドをアームを介して先端に具備するアクチュエータとを備えた磁気ディスク装置において、
前記記録或いは再生の際に、前記磁極が前記磁気媒体上のいずれの位置にあっても、前記磁極の前記磁気媒体に対向する面が、前記情報トラック幅の範囲内に位置する形状であることを特徴とする磁気ヘッド。
【請求項９】
情報を記録する磁気媒体と、
前記磁気媒体を回転駆動させるモータと、
前記磁気媒体から情報を再生する再生ヘッドと、
この再生ヘッドに対してギャップ層を挟んで対向する磁極を備え、前記磁気媒体に情報を記録する記録ヘッドとを備えた磁気ヘッドと、
この磁気ヘッドをアームを介して先端に具備するアクチュエータとを備えた磁気ディスク装置において、
アクチュエータアームの回動で変化するヨー角に関わらず、前記磁極の前記磁気媒体に対向する面が、前記情報トラック幅の範囲内に位置する形状であることを特徴とする磁気ディスク装置。
【請求項１０】
情報を記録する磁気媒体と、
前記磁気媒体を回転駆動させるモータと、
前記磁気媒体から情報を再生する再生ヘッドと、
この再生ヘッドに対してギャップ層を挟んで対向する磁極を備え、前記磁気媒体情　報を記録する記録ヘッドとを備えた磁気ヘッドと、
この磁気ヘッドをアームを介して先端に具備するアクチュエータとを備えた磁気ディスク装置において、
前記磁極の前記磁気媒体に対向する面が前記磁気媒体に形成される情報トラック幅以下の直径を有する略円形であることを特徴とした磁気ディスク装置。
【請求項１１】
情報を記録する磁気媒体と、
前記磁気媒体を回転駆動させるモータと、
前記磁気媒体から情報を再生する再生ヘッドと、
この再生ヘッドに対してギャップ層を挟んで対向する磁極を備え、前記磁気媒体に情報を記録する記録ヘッドとを備えた磁気ヘッドと、
この磁気ヘッドをアームを介して先端に具備するアクチュエータとを備えた磁気ディスク装置において、
前記磁極の前記磁気媒体に対向する面に形成されるトレーリングエッジは、前記磁気媒体に形成される情報トラック幅以下の直径を有する略円形の円弧であることを特徴とした磁気ディスク装置。
【請求項１２】
情報を記録する磁気媒体と、
前記磁気媒体を回転駆動させるモータと、
非磁性基板上に積層された第一の磁極と、この磁極にギャップ層を介して位置する第二の磁極とを備えた、磁気媒体から情報を記録する記録ヘッドと、前記第二の磁極上に積層された第一の磁気シールドと、この第一の磁気シールドとの間に挟まれた、前記磁気媒体からの情報を再生する再生ヘッドとを備えた磁気ヘッドと、
この磁気ヘッドをアームを介して先端に具備するアクチュエータとを備えた磁気ディスク装置において、
前記第二の磁極の前記磁気媒体に対向する面の形状が前記磁気媒体に形成される情報トラック幅以下の直径を有する略円形であり、前記再生ヘッドの感磁部の前記磁気媒体に対向する面は、前記略円に沿った円弧を有することを特徴とする磁気ディスク装置。
【請求項１３】
情報を記録する磁気媒体と、
前記磁気媒体を回転駆動させるモータと、
非磁性基板上に積層された第一の磁極と、この磁極にギャップ層を介して位置する第二の磁極とを備えた、磁気媒体から情報を記録する記録ヘッドと、前記第二の磁極上に積層された第一の磁気シールドと、この第一の磁気シールドとの間に挟まれた、磁気媒体からの情報を再生する再生ヘッドとを備えた磁気ヘッドと、
この磁気ヘッドをアームを介して先端に具備するアクチュエータとを備えた磁気ディスク装置において、
前記第一の磁極の前記磁気媒体に対向する面に形成されるトレーリングエッジは、前記磁気媒体に形成される情報トラック幅以下の直径を有する略円形の円弧であり、前記再生ヘッドの感磁部の前記磁気媒体に対向する面は、前記円弧に沿った円弧を有することを特徴とする磁気ディスク装置。
【請求項１４】
前記再生ヘッドの感磁部の円弧の内周角が１８０°以下であることを特徴とする請求項１２或いは１３に記載の磁気ディスク装置。
【発明の詳細な説明】
【０００１】
【発明の属する技術分野】
本発明は、磁気ディスク装置及び磁気ヘッドに関するものである。
【０００２】
【従来の技術】
磁気記録方式には磁性膜に記録する情報の磁化方向によって、面内磁気記録方式と垂直磁気記録方式がある。磁気ディスク装置においては面内磁気記録方式が従来から広く用いられてきたが、垂直磁気記録方式は面内磁気記録方式に比較して高い面記録密度を実現し易いため、今後の実用化が期待されている。
【０００３】
図１に、垂直磁気記録方式を用いた磁気ディスク装置の構成を示す。垂直磁気記録方式を用いた磁気ディスク装置の構成は、基本的に面内磁気記録方式を用いたディスク装置と同じである。
【０００４】
まず、磁気媒体１は、情報を記録するための媒体であり、磁気ヘッド２は、磁気媒体１に、情報を磁気的に記録・再生する。ロータリアクチュエータ３は、磁気ヘッド２をアームを介して具備し、磁気媒体１面上の任意の位置へ移動させ、モータ４は、磁気媒体１を回転させ、情報の記録時に磁気ヘッド２に記録信号を供給し、再生時にはプリアンプ５が磁気ヘッド２からの再生信号を増幅する。ここで磁気ヘッド２は記録素子と再生素子とで構成され、記録素子は、プリアンプ５内部の記録回路からの記録情報信号に応じて磁化反転する記録磁界を発生させて、磁気媒体１に情報を磁化方向の変化として記録する。一方、再生素子は、磁気媒体に記録された情報からの微弱な漏洩磁界を検知して電気信号に変換してプリアンプ５内部の再生回路へ再生信号を送る。
【０００５】
垂直磁気記録方式と面内磁気記録方式との方式上の大きな違いは、磁気媒体１上に記録される情報の磁化方向である。図２（ａ）は面内記録方式での媒体上に記録される磁化反転の方向を、図２（ｂ）は垂直磁気記録方式における磁化反転の方向を模式的に示す。ここで記号（×）は磁気媒体１の面に対して垂直に入り込む磁化方向、記号（・）は磁気媒体１の面から垂直に飛び出す磁化方向を表す。
【０００６】
図２（ａ）に示すように、従来一般的であった面内磁気記録方式では、記録情報に対応する磁化反転が、磁気媒体１の面、および情報トラックの方向に対して平行な向きに磁化される。これに対して、図２（ｂ）に示すように、垂直磁気記録方式では記録情報に対応する磁化反転が磁気媒体の面に対して垂直方向に磁化される。このため、垂直磁気記録方式の磁気ディスク装置は、ディスク面に対して垂直な磁化反転の記録再生に適するように、磁気ヘッド２、および磁気媒体１の構造が、面内磁気記録方式のディスク装置の場合と異なっている。
【０００７】
図３は従来の垂直磁気記録方式の磁気ヘッド２の記録・再生素子部を磁気媒体面の上方からみた拡大図を示す。磁気ヘッド２は、記録素子２１と再生素子２２とが積層されている。従来面内記録用ヘッドでは、上部磁極８と下部磁極１５間のギャップ間隔ｇを狭くして（例えば、ｇ＜１μｍ）、このギャップｇ間をブリッジする記録磁界を発生させる。これに対して、垂直磁気記録用磁気ヘッドでは、上部磁極８が円板面に垂直な磁界を発生させるため、ギャップ間隔ｇは磁気記録的にはあまり意味がなく、面内記録用ヘッドに比較して大きな値（例えば、ｇ＞５μｍ）となる。媒体に記録される垂直磁化は、上部磁極８の最後尾のエッジ（以下トレーリングエッジと言う）９の形状によって確定する。
【０００８】
図４は、図３のヘッドを用いてロータリアクチュエータ３により記録した場合の垂直磁気記録方式の磁化状態を示す。図４では明瞭化のため、図３の磁気ヘッドの上部磁極８のみを表示し、下部磁極１５は省略している。
【０００９】
ここで、ロータリアクチュエータ３の回動により、磁気媒体１の情報トラックの方向と磁気ヘッドの中心線との角度θ（すなわちヨー角）が変わる。磁気ヘッドの上部磁極８が静止し、磁気媒体が回転により図中の矢印方向に移動すると、トレーリングエッジ９によって、磁気媒体に対して垂直方向に変化する磁化が記録される。
【００１０】
なお、垂直磁気記録方式において、記録ヘッドの上部磁極の形状をトリミングしたヘッド構造が、特開２００１−２５６６０５号公報に開示されている。
【００１１】
【発明が解決しようとする課題】
しかしながら、図４に示すような垂直磁気記録方式の単磁極ヘッドの場合、上部磁極８のサイドのエッジによって不要な磁化反転がトラックエッジ部に書かれてしまうサイドイレーズ現象が発生してしまう。サイドイレーズ領域１０は、ヘッドの記録磁界を十分に得るために、上部磁極の厚さｄを大きくすると、ヨー角θが０°でない場合に、図中に示す幅δ（＝ｄ×ｓｉｎθ）に相当する領域に発生する。サイドイレーズ領域１０は磁気記録的にはＤＣイレーズ状態に近い磁化状態になっており、この領域δが広くなると信号再生の際に自己トラックの情報信号に対するノイズトラックとなって作用し信号再生を妨げ、またトラック密度が高い場合には隣接トラックの記録信号の一部を消去してしまう危険性がある。
【００１２】
特開２００１−２５６６０５に記載のヘッドは、記録ヘッドの上部磁極の形状をトリミングすることにより、隣接トラックにおけるサイドイレーズの発生を防止する。この方式は、従来のヘッド構造をベースとしたサイドイレーズの対策は可能であるが、上部磁極の厚さｄが長いほど、ヨー角θが大きいほど、また信号トラック間隔が小さいほど、上部磁極のトリミング量が多くなるため、必要記録磁界強度を確保することが難しい。同時にヨー角θによって、上部磁極の形状を変えなければならない。
【００１３】
本発明の目的は、ロータリアクチュエータを用いた垂直磁気記録方式の磁気ヘッドにおいて、サイドイレーズを防止しながら、高密度記録を可能とした磁気ヘッド、及び高容量化を可能とする磁気ディスク装置を提供することである。
【００１４】
【課題を解決するための手段】
本発明は、記録或いは再生の際に、磁気媒体上のいずれの位置にあっても、磁極の磁気媒体に対向する面が、情報トラック幅の範囲内に位置する形状であることを特徴とする磁気ヘッド、或いは上部磁極の磁気媒体に対向する面が磁気媒体に形成される情報トラック幅以下の直径を有する略円形であることを特徴とする磁気ヘッドと、このいずれかの磁気ヘッドを搭載した磁気ディスク装置を提供する。
【００１５】
【発明の実施の形態】
本発明では、磁気ヘッドの磁極の磁気媒体に対向する面が、前記記録或いは再生の際に、前記磁極が前記磁気媒体上のいずれの位置にあっても、例えばヨー角がいずれの角度でも、情報トラック幅の内側に位置するので、ヨー角の変化によるサイドイレーズを原理的に発生させないことを特徴とする。
【００１６】
図５に本発明の第１の実施例の磁気ヘッドの基本形状を示す。本実施例の磁気ヘッドでは、非磁性基板１３上に下部磁気シールド１４があり、下部磁気シールド１４と下部磁極１５とに挟まれて再生素子６がある。下部磁極１５に対して記録ギャップ層１６を介して記録トラック幅Ｔｗｗを直径とする円形上部磁極８１が位置する。したがって、磁気媒体に対して垂直方向に変化する磁化を記録するトレーリングエッジはこの円形の円弧となる。
【００１７】
図６は、図５の磁気ヘッドを用いた場合の磁気媒体上の磁化の様子を示す。図６（ａ）はヨー角θ＝０°のとき、図６（ｂ）はθ≠０°の時の磁化状態を示す。図６に示すように、円形上部磁極８１は、磁気媒体に対向する面が円形であり、この円は、磁気媒体上に形成される情報トラック幅以下の直径を有することを特徴としている。磁気媒体上に形成される磁化反転は円形上部磁極８１の形状に起因した円弧状である。また、ヨー角によらず、磁気媒体上に記録される信号トラック幅（Ｔｗｗ）および磁化パターンは同一である。したがって、図４に示したサイドイレーズは原理的に発生せず、上部磁極８１の形状をヨー角によって変える必要もない。
【００１８】
図７に本発明の第２の実施例の磁気ヘッドの基本形状を示す。なお、図７では下部磁極１５は省略している。本実施例の磁気ヘッドにおいて、円弧状の再生へッド８２１の感磁部の磁気媒体に対抗する面は、上部磁極８１のトレーリングエッジの円弧に沿った円弧を有することを特徴とする。同時にこの再生ヘッド８２１は、上部磁極８１に対して磁気媒体移動方向側に設けられている。したがって、再生ヘッドが形成された磁化反転を円弧状再生ヘッド８２１で再生することにより磁化反転形状に忠実な信号再生が可能となる。
【００１９】
なお、本発明において円弧状再生ヘッド８２１の円弧の半径（ｒＲ）は、円形上部磁極８１の外形半径（ｒｗ）よりも若干大きくなるが、両者の大きさを極力近づけることにより品質の良い再生信号が得られる。また、円弧状再生ヘッド８２１で再生することによって、従来の直線状或いは台形状の再生ヘッドに比べて感磁部の長さを長くできるので、その分だけ再生信号が多くなり信号Ｓ／Ｎ比が大きくなる。更に、従来の直線状或いは台形状の磁気ヘッドでは、円弧状に形成された磁化反転に対して感磁部を、ヨー角毎に位置合わせする必要があるが、円弧状再生ヘッド８２１ではこのような位置合わせの必要が無くなる。
【００２０】
ここで、本発明の磁気ヘッドを搭載する磁気ディスク装置のヨー角の範囲をΘｉｎ〜Θｏｕｔとすると本来円弧状再生ヘッドの内周角Φは、
Φ＝１８０°＋（Θｏｕｔ　−　Θｉｎ）
であり、１８０°よりも大きな角度となる。具体的な例を挙げれば、磁気ディスク装置の最内周ヨー角Θｉｎ＝−１０°、最外周ヨー角Θｏｕｔ＝＋１５°の場合には、円弧状再生ヘッド８２１の内周角は
Φ＝１８０°＋｛１５°−（−１０°）｝＝２０５°
となる。
【００２１】
本実施例の磁気ヘッドはヨー角によらず常に再生ヘッドが円形上部磁極によって形成された磁化反転部のほぼ全てをカバーできることも特徴とする。したがって再生時の信号再生効率が高く、高Ｓ／Ｎの信号再生が可能である。
【００２２】
図８は本発明の磁気ヘッドの第３の実施例を示す。なお、図８では下部磁極１５は省略している。本実施例では円弧状再生ヘッド８２２が信号トラック幅（Ｔｗｗ）の中心部に配置されることを特徴とする。すなわち、磁気ディスク装置のヨー角の範囲をΘｉｎ〜Θｏｕｔとすると円弧状再生ヘッド８２２の内周角Φは、
Φ＝１８０°−（Θｏｕｔ　−　Θｉｎ）
であり、１８０°よりも小さい角度となる。具体的な例を挙げれば、磁気ディスク装置の最内周ヨー角Θｉｎ＝−１０°、最外周ヨー角Θｏｕｔ＝＋１５°の場合には、円弧状再生ヘッド８２１の内周角は
Φ＝１８０°−｛１５°−（−１０°）｝＝１５５°
となる。
【００２３】
本実施例の磁気ヘッドは信号トラック幅（Ｔｗｗ）の中心部の信号を再生するため、信号トラック端部の磁化の乱れを拾いにくいために品質の良い信号再生が可能である。また
円弧状再生ヘッド８２２の円弧の長さが短いため、再生ヘッドの形成が比較的容易である。
【００２４】
図９に本発明の第４の実施例の磁気ヘッドを示す。なお、図９では下部磁極１５は省略している。本実施例では、記録ヘッドの円形状上部磁極８１２の形状が半月型であることを特徴とする。上部磁極８１２の底部を平坦化することにより記録ヘッドの形成が容易になる利点がある。ここで、上部磁極８２１の磁気媒体に対向する面に形成されるトレーリングエッジは、磁気媒体に形成される情報トラック幅以下の直径を有する円形の円弧である。
【００２５】
第４の実施例では、円弧状再生ヘッド８２１は、図７の第２の実施例の再生ヘッドと同様に信号トラック幅Ｔｗｗの全体をカバーする再生ヘッドとの組み合わせである。したがって、再生時の信号再生効率が高く、高Ｓ／Ｎの信号再生が可能である。
【００２６】
図１０に第５の実施例の磁気ヘッドを示す。なお、図１０では下部磁極１５は省略している。図１０において、円弧状再生ヘッド８２２は、図８の第３の実施例と同様に信号トラック幅Ｔｗｗの中心部の信号を再生する再生ヘッドとの組み合わせである。本実施例の磁気ヘッドでは、上部磁極８１２の底部が平坦であるので、記録ヘッドの形成が容易になる利点があり、更に円弧状再生ヘッド８２２の円弧が短いため、信号トラック端部の磁化の乱れを拾いにくいために品質の良い信号再生が可能である
図１１は、第４の実施例の磁気ヘッドの製造方法を示すための磁気ヘッド先端部（浮上面）の断面図である。なお、他の実施例のヘッドの製造方法についても基本的には同様である。本実施例の磁気ヘッドは、非磁性基板上に初めに記録ヘッドを形成した後、再生ヘッドを形成する。
【００２７】
最初に非磁性基板上１３に記録ヘッドの下部磁性層部１５、記録ギャップ層１６、及び上部磁極層８１２´を順次積層して形成する（図１１（ａ））。次に、ＦＩＢ（ＦｉｎｅＩｏｎ　Ｂｅａｍ）加工等の方法により、上部磁極層８１２´を円形上部磁極８１２の直径に相当する幅（＝Ｔｗｗ）だけ残して除去してトリミングする（図１１（ｂ））。更に、横長の長方形にトリミングされた上部磁極をイオンミリングにより長方形のカド付近を削り取って上部磁極８１２の断面が半月状となるように加工する（図１１（ｃ））。
【００２８】
残った記録ギャップ層１６上にアルミナ層１６´を形成し、上部磁極８１２の一部がアルミナ層１６´から頭を出すようにする。図１１（ｄ）の最上部に再生ヘッド（ＭＲ）層８３を形成する（図１１（ｅ））。この再生ヘッド層８３は実際には多くの層が積層されて構成され、基本的は下から、下部磁気シールド、再生素子（ＭＲ膜）と電極（平坦部のみ）、及び上部磁気シールド等で構成される。再生ヘッド層はアルミナ層と、アルミナ層から一部半月状に頭を出した上部磁極８１２との上にかぶさる形に形成される。再生ヘッド層８３の積層後、最後に再度アルミナ層１７を積層して本発明のヘッドが形成される（図１１（ｆ））。
【００２９】
図１２は図１１（ｅ）の再生ヘッド層８３付近を拡大した図である。再生ヘッド層８３はＭＲ膜８４、電極８５、上部磁気シールド８６、下部磁気シールド８７等で構成される。ここで電極８５はＭＲ膜８４の平坦部のみに接触していて、平坦部では再生感度が無いので、再生へッド感磁部８８は円弧状の円弧状再生ヘッド８２１のみとすることができる。なお、以上の説明は本発明磁気ヘッドの先端部の形成にのみ着目した説明であり、実際の磁気ヘッドの製造工程には上記の工程の他に、記録ヘッドのコイル形成などの更に複数の製造プロセスが加わる。これらの工程については基本的には従来のヘッド製造プロセスとほぼ同等と考えられるためここでは省略した。
【００３０】
なお、上記実施例において、円形上部磁極８１、８１２、円弧状再生ヘッド８２、８２１、８２２は、真円でなくても良いことは言うまでもなく、記録再生の際に、ヨー角の変化によって記録磁気媒体上の位置が変化する場合に、サイドイレーズ領域が発生しない範囲内であれば、それぞれの磁極或いは再生ヘッドの磁気媒体に対向する面の形状が、例えば円形あるいは円弧に凹凸を生じていたり、楕円状になっていたりしても良い。
【００３１】
また、上記第２〜第５の実施例では、円弧状の再生へッド８２１及び８２２がそれぞれ上部磁極８１、８１２に対してディスク移動方向側に設けられているが、下部磁極１５側に設けてもよい。これによって、再生ヘッドと記録ヘッドとの円弧を同じ半径とすることができ、第１の実施例の磁気ヘッドに比べて、より品質の良い再生信号が得ることができる。
【００３２】
また、本発明の磁気ヘッドを図１の磁気ディスク装置に適用することによって、ロータリアクチュエータ３がアームを介して磁気ヘッド２を磁気媒体１の最外周から最内周の任意の位置に移動させることによってヨー角が発生するときでも、記録ヘッドの上部磁極の形状に起因するサイドイレーズは発生しない。これによって、従来方式の磁気ヘッドに比べて高トラック密度化が可能となり、この高トラック密度化によって磁気ディスク装置の高密度記録或いは大容量化が可能となる。
【００３３】
【発明の効果】
本発明の磁気ヘッドを搭載することにより磁気ディスク装置のロータリアクチュエータに起因するヨー角が発生する場合でも、記録ヘッドの上部磁極によるサイドイレーズが原理的に発生しない。よって従来方式の磁気ヘッドに比べて高トラック密度化が可能となる。更に、本発明の磁気ヘッドを磁気ディスク装置に適用することによって、高記録密度、高容量化が可能となる。
【図面の簡単な説明】
【図１】ロータリアクチュエータを搭載した一般的な磁気ディスク装置の構成を示す図。
【図２】従来の面内記録方式（ａ）と垂直磁気記録方式の媒体上での記録磁化方向の違いを説明する図。
【図３】従来の磁気ヘッドの構成を示す図。
【図４】従来の磁気ヘッドにおけるサイドイレーズを示す図。
【図５】本発明の第１の実施例の磁気ヘッドを示す図。
【図６】本発明の第１の実施例の磁気ヘッドによる記録磁化を示す図。
【図７】本発明の第２の実施例の磁気ヘッドを示す図。
【図８】本発明の第３の実施例の磁気ヘッドを示す図。
【図９】本発明の第４の実施例の磁気ヘッドを示す図。
【図１０】本発明の第５の実施例の磁気ヘッドを示す図。
【図１１】１本発明の第５の実施例の磁気ヘッドの製造方法の例を示す図。
【図１２】本発明の第５の実施例の磁気ヘッドの再生素子の構造を示す図。
【符号の説明】
１：磁気媒体、２：磁気ヘッド、３：ロータリアクチュエータ、４：円板回転機構、５：プリアンプ、６：再生ヘッド層、８：記録ヘッドの上部磁極、９：記録ヘッドのトレーリングエッジ、１０：サイドイレーズ領域、１３：非磁性下地基板、１４：下部磁気シールド、１５：記録ヘッドの下部磁極（再生ヘッドの上部磁気シールドと兼用）、１６：記録ギャップ層、１６´：アルミナ層、２１：記録ヘッド部、２２：再生ヘッド部、８１：円形上部磁極、８１２：円形（半月型）上部磁極、８２：円弧状再生ヘッド、８３：再生ヘッド層、８４：ＭＲ膜、８５：電極、８６：上部磁気シールド、８７：下部磁気シールド、８８：再生ヘッド感磁部、８２１：円弧状再生ヘッド、８２１´：上部磁極層、８２２：円弧状再生ヘッド、θ：ヨー角、ｄ：上部磁極厚、δ：サイドイレーズ幅、ｇ：磁極間隔
【図１】
2004046920.tif 000003
【図２】
2004046920.tif 000004
【図３】
2004046920.tif 000005
【図４】
2004046920.tif 000006
【図５】
2004046920.tif 000007
【図６】
2004046920.tif 000008
【図７】
2004046920.tif 000009
【図８】
2004046920.tif 000010
【図９】
2004046920.tif 000011
【図１０】
2004046920.tif 000012
【図１１】
2004046920.tif 000013
【図１２】
2004046920.tif 000014